(57)【要約】  スイッチの劣化状態を適切に診断することができる昇降機のスイッチ信号診断装置を提供する。昇降機のスイッチ信号診断装置は、昇降機に設けられたスイッチの状態を前記昇降機の運行制御に用いる際の運行制御サンプリング周期よりも短い劣化状態サンプリング周期で計測する劣化状態サンプリング部と、前記劣化状態サンプリング部により計測された前記スイッチの状態に基づいて前記スイッチの劣化状態を診断する劣化状態診断部と、前記劣化状態診断部により診断された前記スイッチの劣化状態の情報を記録する劣化状態記録部と、を備えた。
2018016027.tif 000002
【特許請求の範囲】
【請求項１】
昇降機に設けられたスイッチの状態を前記昇降機の運行制御に用いる際の運行制御サンプリング周期よりも短い劣化状態サンプリング周期で計測する劣化状態サンプリング部と、
前記劣化状態サンプリング部により計測された前記スイッチの状態に基づいて前記スイッチの劣化状態を診断する劣化状態診断部と、
前記劣化状態診断部により診断された前記スイッチの劣化状態の情報を記録する劣化状態記録部と、
を備えた昇降機のスイッチ信号診断装置。
【請求項２】
前記劣化状態診断部は、前記スイッチの劣化状態として、前記スイッチの状態が前記運行制御サンプリング周期で予め設定された回数だけ連続してオン状態と計測されるまでにかかった前記運行制御サンプリング周期での計測回数をチャタリングの発生時間として診断する請求項１に記載の昇降機のスイッチ信号診断装置。
【請求項３】
前記劣化状態診断部は、前記スイッチの劣化状態として、前記劣化状態サンプリング部により計測された前記スイッチの状態が前記運行制御サンプリング周期による計測の間にオン状態とオフ状態とを計測している際のオン状態の計測回数を前記劣化状態サンプリング部により計測された前記スイッチの状態がオン状態とオフ状態とを計測している際の前記運行制御サンプリング周期での計測回数で除した値をチャタリングの平均回数として診断する請求項１または請求項２に記載の昇降機のスイッチ信号診断装置。
【請求項４】
前記劣化状態記録部は、前記スイッチの劣化状態の情報と前記劣化状態診断部による前記スイッチの劣化状態の診断時刻の情報とを対応付けて記録する請求項１から請求項３のいずれか１項に記載の昇降機のスイッチ信号診断装置。
【請求項５】
前記劣化状態サンプリング部は、前記昇降機のかごドアスイッチと複数の乗場ドアスイッチが直列に接続されたスイッチ群の状態を前記劣化状態サンプリング周期で計測し、
前記劣化状態診断部は、前記劣化状態サンプリング部により計測された前記スイッチ群の状態に基づいて前記スイッチ群の劣化状態を診断し、
前記劣化状態記録部は、前記劣化状態診断部により診断された前記スイッチ群の劣化状態の情報と前記昇降機のかごの位置の情報とを対応付けて記録する請求項１から請求項４のいずれか１項に記載の昇降機のスイッチ信号診断装置。
【請求項６】
前記劣化状態サンプリング部は、前記昇降機のかごドアスイッチの状態を前記劣化状態サンプリング周期で計測し、前記昇降機の複数の乗場ドアスイッチの状態を前記劣化状態サンプリング周期で計測し、
前記劣化状態診断部は、前記劣化状態サンプリング部により計測された前記かごドアスイッチの状態に基づいて前記かごドアスイッチの劣化状態を診断し、前記劣化状態サンプリング部により計測された前記複数の乗場ドアスイッチの状態に基づいて前記複数の乗場ドアスイッチの劣化状態を診断し、
前記劣化状態記録部は、前記劣化状態診断部により診断された前記かごドアスイッチの情報と前記複数の乗場ドアスイッチの状態の情報と前記昇降機のかごの位置の情報とを対応付けて記録する請求項１から請求項４のいずれか１項に記載の昇降機のスイッチ信号診断装置。
【請求項７】
昇降機に設けられたスイッチの状態を前記昇降機の運行制御に用いる際の運行制御サンプリング周期よりも短い劣化状態サンプリング周期で計測するスイッチ信号診断装置と、
前記スイッチ信号診断装置により計測された前記スイッチの状態の時間的な変化に基づいて前記スイッチの保守計画を作成する保守計画作成装置と、
を備えた昇降機の保守計画作成システム。
【発明の詳細な説明】
【技術分野】
【０００１】
この発明は、昇降機のスイッチ信号診断装置および昇降機の保守計画作成システムに関する。
【背景技術】
【０００２】
特許文献１は、昇降機を開示する。当該昇降機は、複数のスイッチを備える。複数のスイッチの各々は、昇降機の各部に設けられる。当該昇降機の動作は、複数のスイッチの各々の状態に基づいて制御される。この際、スイッチの状態は、予め設定された運行制御サンプリング周期で計測される。
【先行技術文献】
【特許文献】
【０００３】
【特許文献１】日本特開２００５−３５０１６０号公報
【発明の概要】
【発明が解決しようとする課題】
【０００４】
昇降機において、スイッチの状態の計測は、チャタリング防止回路により安定化される。このため、スイッチの細かい挙動を把握することができない。その結果、スイッチの劣化状態を適切に診断することができない。【０００５】
この発明は、上述の課題を解決するためになされた。この発明の目的は、スイッチの劣化状態を適切に診断することができる昇降機のスイッチ信号診断装置および昇降機の保守計画作成システムを提供することである。
【課題を解決するための手段】
【０００６】
この発明に係る昇降機のスイッチ信号診断装置は、昇降機に設けられたスイッチの状態を前記昇降機の運行制御に用いる際の運行制御サンプリング周期よりも短い劣化状態サンプリング周期で計測する劣化状態サンプリング部と、前記劣化状態サンプリング部により計測された前記スイッチの状態に基づいて前記スイッチの劣化状態を診断する劣化状態診断部と、前記劣化状態診断部により診断された前記スイッチの劣化状態の情報を記録する劣化状態記録部と、を備えた。【０００７】
この発明に係る昇降機の保守計画作成システムは、昇降機に設けられたスイッチの状態を前記昇降機の運行制御に用いる際の運行制御サンプリング周期よりも短い劣化状態サンプリング周期で計測するスイッチ信号診断装置と、前記スイッチ信号診断装置により計測された前記スイッチの状態の時間的な変化に基づいて前記スイッチの保守計画を作成する保守計画作成装置と、を備えた。
【発明の効果】
【０００８】
これらの発明によれば、スイッチの状態は、運行制御サンプリング周期よりも短い劣化状態サンプリング周期で診断される。このため、スイッチの劣化状態を適切に診断することができる。
【図面の簡単な説明】
【０００９】
【図１】この発明の実施の形態１における昇降機の保守計画作成システムが適用されるエレベーターの構成図である。
【図２】この発明の実施の形態１における昇降機の保守計画作成システムの制御装置と保守装置とのブロック図である。
【図３】この発明の実施の形態１における昇降機の保守計画作成システムによるスイッチの劣化状態の診断を説明するためのタイミングチャートである。
【図４】この発明の実施の形態１における昇降機の保守計画作成システムによる保守計画の作成方法を説明するための図である。
【図５】この発明の実施の形態１における保守計画作成システムの動作を説明するためのフローチャートである。
【図６】この発明の実施の形態１における保守計画作成システムの保守装置のハードウェア構成図である。
【図７】この発明の実施の形態２における昇降機の保守計画作成システムが適用される昇降機のスイッチの構成図である。
【図８】この発明の実施の形態３における昇降機の保守計画作成システムが適用される昇降機のスイッチの構成図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１における昇降機の保守計画作成システムが適用されるエレベーターの構成図である。
【００１２】
図１において、建築物の各々は、昇降機を備える。例えば、昇降機は、エレベーターである。昇降路１は、建築物の各々を貫く。複数の乗場２の各々は、建築物の各階に設けられる。かご３は、昇降路１の内部に設けられる。
【００１３】
複数の乗場ドア４の各々は、エレベーターのドアとして各階の乗場２の出入口に設けられる。かごドア５は、エレベーターのドアとしてかご３の出入口に設けられる。
【００１４】
スイッチ群６は、昇降機に設けられる。スイッチ群６は、図１においては図示されない複数のスイッチを備える。複数のスイッチの各々は、昇降機の各部に設けられる。
【００１５】
例えば、制御装置７は、図示されない機械室に設けられる。例えば、制御装置７は、昇降路１の内部に設けられる。例えば、保守装置８は、制御装置７に隣接して設けられる。
【００１６】
例えば、センタ装置９は、昇降機の管理会社に設けられる。例えば、保守データベース１０は、昇降機の管理会社に設けられる。保守データベース１０は、昇降機の保守に関する情報を記録する。例えば、保守実績記録装置１１は、昇降機の管理会社に設けられる。保守実績記録装置１１は、昇降機の保守実績の情報を記録する。例えば、保守計画記録装置１２は、昇降機の管理会社に設けられる。保守計画記録装置１２は、昇降機の保守計画の情報を記録する。例えば、保守計画作成装置１３は、昇降機の管理会社に設けられる。
【００１７】
例えば、メンテナンスコンピュータ１４は、昇降機の保守員に携帯される。
【００１８】
制御装置７は、予め設定された運行制御サンプリング周期でスイッチ群６の複数のスイッチの状態を計測する。制御装置７は、運行制御サンプリング周期での複数のスイッチの状態の計測結果に基づいてエレベーターの運行制御を行う。
【００１９】
保守装置８は、スイッチ信号診断装置として機能する。具体的には、保守装置８は、運行制御サンプリング周期よりも短い劣化状態サンプリング周期でスイッチ群６の複数のスイッチの状態を計測する。保守装置８は、劣化状態サンプリング周期での複数のスイッチの状態の情報を送信する。
【００２０】
センタ装置９は、劣化状態サンプリング周期での複数のスイッチの状態の情報を保守装置８から受信する。
【００２１】
保守計画作成装置１３は、センタ装置９に受信された複数のスイッチの情報と保守データベース１０に記録された保守に関する情報とに基づいて複数のスイッチに対する新しい保守計画を作成する。保守計画作成装置１３は、複数のスイッチに対する新しい保守計画の情報を保守計画記録装置１２に記録させる。
【００２２】
保守員は、メンテナンスコンピュータ１４を用いて複数のスイッチに対する新しい保守計画を確認する。保守員は、複数のスイッチに対する新しい保守計画に基づいて複数のスイッチに対する保守作業を行う。保守員は、当該保守作業の結果の情報を昇降機の保守実績の情報として保守実績記録装置１１に記録させる。
【００２３】
次に、図２を用いて、制御装置７と保守装置８とを説明する。
図２はこの発明の実施の形態１における昇降機の保守計画作成システムの制御装置と保守装置とのブロック図である。
【００２４】
例えば、スイッチ群６は、かごドアスイッチ６ａと上部終点スイッチ６ｂと下部終点スイッチ６ｃとブレーキスイッチ６ｄとを備える。
【００２５】
例えば、かごドアスイッチ６ａは、かごドア５に設けられる。例えば、上部終点スイッチ６ｂは、昇降路１の上部に設けられる。例えば、下部終点スイッチ６ｃは、昇降路１の下部に設けられる。例えば、ブレーキスイッチ６ｄは、図示されないブレーキに設けられる。
【００２６】
かごドアスイッチ６ａの一側は、電源に接続される。上部終点スイッチ６ｂの一側は、電源に接続される。下部終点スイッチ６ｃの一側は、電源に接続される。ブレーキスイッチ６ｄの一側は、電源に接続される。
【００２７】
例えば、チャタリング防止回路１５は、制御装置７に隣接して設けられる。チャタリング防止回路１５の入力部７ａは、かごドアスイッチ６ａの他側と上部終点スイッチ６ｂの他側と下部終点スイッチ６ｃの他側とブレーキスイッチ６ｄの他側とに接続される。
【００２８】
制御装置７は、入力部７ａと運行演算部７ｂとチャタリング防止部７ｃと論理異常診断部７ｄと論理異常記録部７ｅとを備える。
【００２９】
保守装置８は、劣化状態サンプリング部８ａと劣化状態診断部８ｂと劣化状態記録部８ｃとを備える。
【００３０】
かごドアスイッチ６ａの状態は、かごドア５の状態に応じて変化する。上部終点スイッチ６ｂの状態は、かご３が昇降路１の上部において予め設定された位置に到達した際に変化する。下部終点スイッチ６ｃの状態は、かご３が昇降路１の下部において予め設定された位置に到達した際に変化する。ブレーキスイッチ６ｄの状態は、ブレーキが動作した際に変化する。
【００３１】
チャタリング防止回路１５は、運行制御サンプリング周期でスイッチ群６から出力された電圧を計測する。例えば、チャタリング防止回路１５は、５０（ｍｓ）の周期でスイッチ群６から出力された電圧を計測する。チャタリング防止回路１５は、当該電圧に基づいてスイッチ群６の状態を計測する。チャタリング防止回路１５は、スイッチ群６の状態の情報を出力する。
【００３２】
制御装置７において、入力部７ａは、チャタリング防止回路１５から出力されたスイッチ群６の状態の情報の入力を受け付ける。運行演算部７ｂは、入力部７ａに入力された情報に基づいてエレベーターの運行に用いられる制御値を演算する。チャタリング防止部７ｃは、運行制御サンプリング周期でスイッチ群６の状態の情報の入力を受け付ける。例えば、チャタリング防止部７ｃは、５０（ｍｓ）の周期でスイッチ群６の状態を計測する。論理異常診断部７ｄは、スイッチ群６の論理異常を診断する。具体的には、論理異常診断部７ｄは、エレベーターの運行状態とチャタリング防止部７ｃにより計測されたスイッチ群６の情報とに基づいてスイッチ群６のいずれかのスイッチのオン故障またはオフ故障を診断する。論理異常記録部７ｅは、論理異常診断部７ｄにより診断された論理異常の情報を記録する。
【００３３】
保守装置８において、劣化状態サンプリング部８ａは、劣化状態サンプリング周期でスイッチ群６の状態を計測する。例えば、劣化状態サンプリング部８ａは、０．１（ｍｓ）から１．０（ｍｓ）の間で設定された周期でスイッチ群６の状態を計測する。劣化状態診断部８ｂは、劣化状態サンプリング部８ａにより計測されたスイッチ群６の状態に基づいてスイッチ群６の劣化状態を診断する。劣化状態記録部８ｃは、劣化状態診断部８ｂにより診断されたスイッチ群６の劣化状態の情報と劣化状態診断部８ｂによるスイッチ群６の診断時刻との情報とスイッチ群６の識別情報とを対応付けて記録する。
【００３４】
次に、図３を用いて、スイッチの劣化状態の診断を説明する。
図３はこの発明の実施の形態１における昇降機の保守計画作成システムによるスイッチの劣化状態の診断を説明するためのタイミングチャートである。
【００３５】
図３の左側の列は、スイッチの状態が正常に変化する際のタイミングチャートである。図３の中央の列は、スイッチの状態が第１異常で変化する際のタイミングチャートである。図３の右側の列は、スイッチの状態が第２異常で変化する際のタイミングチャートである。
【００３６】
図３の（ａ）は、スイッチの状態を示す。図３の（ｂ）は、チャタリング防止回路１５による計測のタイミングを示す。図３の（ｃ）は、チャタリング防止回路１５による計測結果を示す。例えば、チャタリング防止回路１５は、２周期連続でＯＮ状態を計測した際にＯＮ状態と認識するように設定される。
【００３７】
図３の（ｄ）は、劣化状態サンプリング部８ａによる計測のタイミングを示す。図３の（ｅ）は、劣化状態サンプリング部８ａによる計測結果を示す。
【００３８】
図３の（ｆ）は、劣化状態診断部８ｂによる第１診断結果を示す。図３の（ｇ）は、劣化状態診断部８ｂによる第２診断結果を示す。図３の（ｈ）は、劣化状態診断部８ｂによる第３診断結果を示す。
【００３９】
図３の（ｆ）において、第１診断結果は、ＯＮ状態の回数である。第１診断結果は、図３の（ｅ）の値と同じ値で示される。図３の（ｇ）において、第２診断結果は、チャタリングの発生時間である。第２診断結果は、スイッチの状態が運行制御サンプリング周期で２回数だけ連続してオン状態と計測されるまでにかかった運行制御サンプリング周期での計測回数で示される。図３の（ｈ）において、第３診断結果は、チャタリングの平均回数である。第３診断結果は、スイッチの状態が運行制御サンプリング周期による計測の間にオン状態とオフ状態とを計測している際のオン状態の計測回数をスイッチの状態がオン状態とオフ状態とを計測している際の運行制御サンプリング周期での計測回数で除した値で示される。
【００４０】
次に、図４を用いて、保守計画の作成方法を説明する。
図４はこの発明の実施の形態１における昇降機の保守計画作成システムによる保守計画の作成方法を説明するための図である。
【００４１】
例えば、「２０１５年１０月」の情報において、スイッチの状態は、理想的にオフ状態からオン状態に変化する。「２０１６年０８月」の情報において、スイッチの状態は、多少のチャタリングを伴ってオフ状態からオン状態に変化する。
【００４２】
保守計画作成装置１３は、スイッチの状態の時間的な変化に基づいてスイッチの保守計画を作成する。例えば、保守計画作成装置１３は、「２０１５年１０月」のスイッチの状態の変化と「２０１６年０８月」のスイッチの状態の変化とに基づいて「２０１７年０５月」にスイッチが故障し得ることを予測する。
【００４３】
この際、保守計画作成装置１３は、「２０１５年１０月」のスイッチの状態の変化と「２０１６年０８月」のスイッチの状態の変化とに基づいてスイッチの保守作業の種類を決定する。
【００４４】
例えば、保守計画作成装置１３は、スイッチの表面を軽く清掃することを次の保守作業とする。例えば、保守計画作成装置１３は、スイッチを交換することを次の保守作業とする。例えば、保守計画作成装置１３は、スイッチの表面を溶剤で清掃することを次の保守作業とする。
【００４５】
この際、保守計画作成装置１３は、保守作業の種類に応じて保守作業の時期を決定する。
【００４６】
次に、図５を用いて、保守計画作成システムの動作を説明する。
図５はこの発明の実施の形態１における保守計画作成システムの動作を説明するためのフローチャートである。
【００４７】
ステップＳ１では、保守計画作成装置１３は、スイッチの状態の情報を受信したか否かを判定する。ステップＳ１で保守計画作成装置１３がスイッチの状態の情報を受信していない場合は、保守計画作成装置１３は、ステップＳ１の動作を繰り返す。ステップＳ１で保守計画作成装置１３がスイッチの状態の情報を受信した場合は、保守計画作成装置１３は、ステップＳ２の動作を行う。
【００４８】
ステップＳ２では、保守計画作成装置１３は、スイッチの状態の情報に基づいてスイッチの状態の時間的な変化に対応した評価値を演算する。その後、保守計画作成装置１３は、ステップＳ３の動作を行う。ステップＳ３では、保守計画作成装置１３は、当該評価値に基づいてスイッチの保守計画を作成する。
【００４９】
その後、保守計画作成装置１３は、ステップＳ４の動作を行う。ステップＳ４では、保守計画作成装置１３は、スイッチの保守計画の情報を保守計画記録装置１２に記録させる。その後、保守計画作成装置１３は、ステップＳ１からの動作を繰り返す。
【００５０】
以上で説明した実施の形態１によれば、スイッチの状態は、運行制御サンプリング周期よりも短い劣化状態サンプリング周期で診断される。このため、スイッチの劣化状態を適切に診断することができる。
【００５１】
例えば、保守装置８は、チャタリングの発生時間を診断する。例えば、保守装置８は、チャタリングの平均回数を診断する。このため、少ない情報量に基づいてスイッチの保守作業の種類と時期を適切に決定することができる。
【００５２】
また、スイッチの状態の情報は、スイッチの状態の診断時刻の情報と対応付けて記録される。このため、スイッチの劣化傾向を把握することができる。その結果、スイッチの保守作業の種類と時期を適切に決定することができる。当該保守作業が適切に行われることにより、スイッチの故障を未然に防ぐことができる。昇降機の運行停止時間を短くすることができる。スイッチの保守の必要性と保守作業の後のスイッチの状態とを昇降機の所有者に対して容易に説明することができる。
【００５３】
この際、予め調査されたスイッチの状態と比較して、診断対象のスイッチの状態を予測してもよい。例えば、水と埃とが付着したスイッチの状態と比較して、診断対象のスイッチの状態を予測してもよい。例えば、コンクリート粉が付着したスイッチの状態と比較して、診断対象のスイッチの状態を予測してもよい。例えば、油とコンクリート粉とが付着したスイッチの状態と比較して、診断対象のスイッチの状態を予測してもよい。
【００５４】
また、スイッチの状態が軽微な接触不良と診断される場合、診断対象のスイッチの状態がオン状態とオフ状態を繰り返すように昇降機の特殊運転を行ってもよい。この場合、スイッチの表面の酸化膜が除去される。このため、特別な保守作業をすることなく、スイッチの状態を改善することができる。
【００５５】
また、スイッチの劣化状態の情報のうち、予め設定された条件を満たす情報の記録のみを残してもよい。例えば、予め設定された期間内において、チャタリングの発生時間の最大値と平均値との情報の記録のみを残してもよい。例えば、予め設定された期間内において、チャタリングの平均回数の最大値と平均値との情報の記録のみを残してもよい。この場合、スイッチの保守作業の種類と時期を適切に決定することができる。
【００５６】
次に、図６を用いて、保守装置８の例を説明する。
図６はこの発明の実施の形態１における保守計画作成システムの保守装置のハードウェア構成図である。
【００５７】
保守装置８の各機能は、処理回路により実現される。例えば、処理回路は、少なくとも１つのプロセッサ１６ａと少なくとも１つのメモリ１６ｂとを備える。例えば、処理回路は、少なくとも１つの専用のハードウェア１７を備える。
【００５８】
処理回路が少なくとも１つのプロセッサ１６ａと少なくとも１つのメモリ１６ｂとを備える場合、保守装置８の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ１６ｂに格納される。少なくとも１つのプロセッサ１６ａは、少なくとも１つのメモリ１６ｂに記憶されたプログラムを読み出して実行することにより、保守装置８の各機能を実現する。少なくとも１つのプロセッサ１６ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、メモリ１６ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００５９】
処理回路が少なくとも１つの専用のハードウェア１７を備える場合、処理回路は、例えば、単一回路、複合回路、プログラム化したプロセッサ、並列プログラム化したプロセッサ、ＡＳＩＣ、ＦＰＧＡ、又はこれらの組み合わせで実現される。例えば、保守装置８の各機能は、それぞれ処理回路で実現される。例えば、保守装置８の各機能は、まとめて処理回路で実現される。
【００６０】
保守装置８の各機能について、一部を専用のハードウェア１７で実現し、他部をソフトウェア又はファームウェアで実現してもよい。例えば、劣化状態サンプリング部８ａの機能については専用のハードウェア１７としての処理回路で実現し、劣化状態サンプリング部８ａ以外の機能については少なくとも１つのプロセッサ１６ａが少なくとも１つのメモリ１６ｂに格納されたプログラムを読み出して実行することにより実現してもよい。
【００６１】
このように、処理回路は、ハードウェア１７、ソフトウェア、ファームウェア、又はこれらの組み合わせにより保守装置８の各機能を実現する。
【００６２】
実施の形態２．
図７はこの発明の実施の形態２における昇降機の保守計画作成システムが適用される昇降機のスイッチの構成図である。なお、実施の形態１と同一又は相当部分には、同一符号が付される。当該部分の説明は省略される。
【００６３】
図７に示されるように、スイッチ群６は、かごドアスイッチ６ａと複数の乗場ドアスイッチ６ｅとを備える。かごドアスイッチ６ａと複数の乗場ドアスイッチ６ｅの各々とは、直列に接続される。
【００６４】
かごドアスイッチ６ａは、かごドア５に設けられる。複数の乗場ドアスイッチ６ｅの各々は、複数の乗場ドア４の各々に設けられる。
【００６５】
かごドアスイッチ６ａの状態は、かごドア５の状態に応じて変化する。複数の乗場ドアスイッチ６ｅの各々の状態は、複数の乗場ドア４の各々の状態に応じて変化する。
【００６６】
保守装置８において、劣化状態サンプリング部８ａは、スイッチ群６の状態を劣化状態サンプリング周期で計測する。劣化状態診断部８ｂは、劣化状態サンプリング部８ａにより計測されたスイッチ群６の状態に基づいてスイッチ群６の劣化状態を診断する。劣化状態記録部８ｃは、劣化状態診断部８ｂにより診断されたスイッチ群６の劣化状態の情報とかご３の位置の情報とを対応付けて記録する。
【００６７】
以上で説明した実施の形態２によれば、劣化状態記録部８ｃは、スイッチ群６の状態の情報とかご３の位置の情報とを対応付けて記録する。このため、複数の乗場ドアスイッチ６ｅの各々の状態を区別して診断することができる。
【００６８】
実施の形態３．
図８はこの発明の実施の形態３における昇降機の保守計画作成システムが適用される昇降機のスイッチの構成図である。なお、実施の形態２と同一又は相当部分には、同一符号が付される。当該部分の説明は省略される。
【００６９】
図８に示されるように、かごドアスイッチ６ａは、複数の乗場ドアスイッチ６ｅの各々と直列に接続されない。かごドアスイッチ６ａは、複数の乗場ドアスイッチ６ｅとは別に設けられる。
【００７０】
保守装置８において、劣化状態サンプリング部８ａは、かごドアスイッチ６ａの状態を計測する。劣化状態サンプリング部８ａは、複数の乗場ドアスイッチ６ｅの状態を計測する。劣化状態診断部８ｂは、劣化状態サンプリング部８ａにより計測されたかごドアスイッチ６ａの状態に基づいてかごドアスイッチ６ａの劣化状態を診断する。劣化状態診断部８ｂは、劣化状態サンプリング部８ａにより計測された複数の乗場ドアスイッチ６ｅの状態に基づいて複数の乗場ドアスイッチ６ｅの劣化状態を診断する。劣化状態記録部８ｃは、劣化状態診断部８ｂにより診断されたかごドアスイッチ６ａの情報と複数の乗場ドアスイッチ６ｅの状態の情報とかご３の位置の情報とを対応付けて記録する。
【００７１】
以上で説明した実施の形態３によれば、かごドアスイッチ６ａは、複数の乗場ドアスイッチ６ｅの各々と直列に接続されない。このため、かごドアスイッチ６ａの状態と乗場ドアスイッチ６ｅの状態とを区別して診断することができる。
【００７２】
なお、劣化状態サンプリング部８ａと劣化状態診断部８ｂと劣化状態記録部８ｃとを保守装置８以外の装置に設けてもよい。例えば、劣化状態サンプリング部８ａと劣化状態診断部８ｂと劣化状態記録部８ｃとを制御装置７に設けてもよい。例えば、劣化状態サンプリング部８ａと劣化状態診断部８ｂと劣化状態記録部８ｃとを保守計画作成装置１３に設けてもよい。これらの場合も、スイッチの劣化状態を適切に診断することができる。
【００７３】
また、劣化状態サンプリング部８ａと劣化状態診断部８ｂと劣化状態記録部８ｃとをエレベーター以外の昇降機のスイッチに適用してもよい。例えば、劣化状態サンプリング部８ａと劣化状態診断部８ｂと劣化状態記録部８ｃとをエスカレーターのスイッチに適用してもよい。例えば、劣化状態サンプリング部８ａと劣化状態診断部８ｂと劣化状態記録部８ｃとを動く歩道のスイッチに適用してもよい。これらの場合も、スイッチの劣化状態を適切に診断することができる。
【産業上の利用可能性】
【００７４】
以上のように、この発明に係る昇降機のスイッチ信号診断装置および昇降機の保守計画作成システムは、スイッチの劣化状態を適切に診断することができるシステムに利用できる。
【符号の説明】
【００７５】
１  昇降路、  ２  乗場、  ３  かご、  ４  乗場ドア、  ５  かごドア、  ６  スイッチ群、  ６ａ  かごドアスイッチ、  ６ｂ  上部終点スイッチ、  ６ｃ  下部終点スイッチ、  ６ｄ  ブレーキスイッチ、  ６ｅ  乗場ドアスイッチ、  ７  制御装置、  ７ａ  入力部、  ７ｂ  運行演算部、  ７ｃ  チャタリング防止部、  ７ｄ  論理異常診断部、  ７ｅ  論理異常記録部、  ８  保守装置、  ８ａ  劣化状態サンプリング部、  ８ｂ  劣化状態診断部、  ８ｃ  劣化状態記録部、  ９  センタ装置、  １０  保守データベース、  １１  保守実績記録装置、  １２  保守計画記録装置、  １３  保守計画作成装置、  １４  メンテナンスコンピュータ、  １５  チャタリング防止回路、  １６ａ  プロセッサ、  １６ｂ  メモリ、  １７  ハードウェア
【図１】
2018016027.tif 000003
【図２】
2018016027.tif 000004
【図３】
2018016027.tif 000005
【図４】
2018016027.tif 000006
【図５】
2018016027.tif 000007
【図６】
2018016027.tif 000008
【図７】
2018016027.tif 000009
【図８】
2018016027.tif 000010
【国際調査報告】
2018016027.tif 000011
2018016027.tif 000012